(57)【要約】  複数の送受信ポイントを利用して通信を行う場合であっても通信品質の劣化を抑制するために、本開示のユーザ端末の一態様は、複数の送受信ポイントにそれぞれ対応するＴＣＩ状態に関する情報を含む所定の下り制御情報を受信する受信部と、前記所定の下り制御情報に基づいて複数の送受信ポイントから送信される物理共有チャネルの受信を制御する制御部と、を有する。
2020166033.tif 000002
【特許請求の範囲】
【請求項１】
複数の送受信ポイントにそれぞれ対応するＴＣＩ状態に関する情報を含む所定の下り制御情報を受信する受信部と、
前記所定の下り制御情報に基づいて複数の送受信ポイントから送信される物理共有チャネルの受信を制御する制御部と、を有することを特徴とするユーザ端末。
【請求項２】
前記下り制御情報に含まれるＴＣＩ状態通知用のビットフィールドの所定コードポイントで指定される所定のＴＣＩ状態が、１又は複数の参照信号リソースに関連付けられていることを特徴とする請求項１に記載のユーザ端末。
【請求項３】
前記下り制御情報に含まれるＴＣＩ状態通知用のビットフィールドの各コードポイントが、１又は複数のＴＣＩ状態に対応していることを特徴とする請求項１に記載のユーザ端末。
【請求項４】
前記各コードポイントに設定されるＴＣＩ状態のインデックス及び数の少なくとも一つは、ＭＡＣ制御情報で指定されることを特徴とする請求項３に記載のユーザ端末。
【請求項５】
前記各コードポイントにそれぞれ設定可能な複数のＴＣＩ状態は、インデックスが連続するＴＣＩ状態であることを特徴とする請求項３又は請求項４に記載のユーザ端末。
【請求項６】
複数の送受信ポイントにそれぞれ対応するＴＣＩ状態に関する情報を含む所定の下り制御情報を受信する工程と、
前記所定の下り制御情報に基づいて複数の送受信ポイントから送信される物理共有チャネルの受信を制御する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１３）では、ユーザ端末（ＵＥ：User  Equipment）は、無線基地局からの下り制御情報（Downlink  Control  Information（ＤＣＩ）、ＤＬアサインメント等ともいう）に基づいて、下り共有チャネル（例えば、Physical  Downlink  Shared  Channel（ＰＤＳＣＨ））の受信を制御する。また、ＵＥは、ＤＣＩ（ＵＬグラント等ともいう）に基づいて、上り共有チャネル（例えば、Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ、５Ｇ、５Ｇ＋又はＲｅｌ．１６以降）では、ビームフォーミング（ＢＦ：Beam  Forming）を利用して通信を行うことが検討されている。ＢＦを利用した通信品質を向上するために、複数の信号間の疑似コロケーション（ＱＣＬ：Quasi-Co-Location）の関係（ＱＣＬ関係）を考慮して信号の送信及び受信の少なくとも一つを制御することが検討されている。【０００７】
また、将来の無線通信システムでは、複数の送受信ポイント又は複数のパネルからＤＬ信号（例えば、ＰＤＳＣＨ）が送信されることも想定される。この場合、１又は複数の下り制御情報（又はＰＤＣＣＨ）を利用して、複数の送受信ポイントから送信されるＰＤＳＣＨのスケジューリングを制御することも考えられる。【０００８】
しかし、複数の送受信ポイントから送信されるＰＤＳＣＨ等のスケジューリングを所定ＤＣＩ（例えば、１つのＤＣＩ）を用いて制御する場合、当該ＰＤＳＣＨの受信処理等をどのように制御するかが問題となる。例えば、ＵＥは、受信処理において、レートマッチング処理、疑似コロケーション（ＱＣＬ）の決定、及びＰＤＳＣＨの割当てリソースの決定の少なくとも一つを行う必要があるが、具体的な受信処理については十分に検討されていない。受信処理が適切に行われない場合、複数の送受信ポイントを利用した通信の品質が劣化するおそれがある。【０００９】
本開示はかかる点に鑑みてなされたものであり、複数の送受信ポイントを利用して通信を行う場合であっても通信品質の劣化を抑制することが可能なユーザ端末及び無線通信方法を提供することを目的の一つとする。
【課題を解決するための手段】
【００１０】
本開示の一態様に係るユーザ端末は、複数の送受信ポイントにそれぞれ対応するＴＣＩ状態に関する情報を含む所定の下り制御情報を受信する受信部と、前記所定の下り制御情報に基づいて複数の送受信ポイントから送信される物理共有チャネルの受信を制御する制御部と、を有することを特徴とする。
【発明の効果】
【００１１】
本開示の一態様によれば、複数の送受信ポイントを利用して通信を行う場合であっても通信品質の劣化を抑制することができる。
【図面の簡単な説明】
【００１２】
【図１】図１Ａ−図１Ｃは、１以上のＴＲＰポイントからＰＤＳＣＨが送信される場合の一例を示す図である。
【図２】図２Ａ−図２Ｃは、ＴＣＩ状態に関する情報の通知方法の一例を示す図である。
【図３】図３Ａ−図３Ｃは、ＴＣＩ状態に関する情報の通知方法の他の例を示す図である。
【図４】図４Ａ−図４Ｃは、ＴＣＩ状態に関する情報の通知方法の他の例を示す図である。
【図５】図５は、ペアとなるＴＣＩ状態の一例を示す図である。
【図６】図６Ａ−図６Ｃは、ＴＣＩ状態に関する情報の通知方法の他の例を示す図である。
【図７】図７Ａ−図７Ｃは、ＴＣＩ状態に関する情報の通知方法の他の例を示す図である。
【図８】図８は、ＴＣＩ状態に関する情報の通知方法の他の例を示す図である。
【図９】図９は、一実施形態に係る無線通信システムの概略構成の一例を示す図である。
【図１０】図１０は、一実施形態に係る基地局の構成の一例を示す図である。
【図１１】図１１は、一実施形態に係るユーザ端末の構成の一例を示す図である。
【図１２】図１２は、一実施形態に係る基地局及びユーザ端末のハードウェア構成の一例を示す図である。
【発明を実施するための形態】
【００１３】
将来の無線通信システムでは、複数の送受信ポイント（ＴＲＰ）からそれぞれノンコヒーレントなＤＬ（例えば、ＰＤＳＣＨ）送信が行われることが検討されている。複数のＴＲＰからノンコヒーレントとなるＤＬ信号（又は、ＤＬチャネル）を協調して行う送信は、ＮＣＪＴ（Non-Coherent  Joint  Transmission）と呼んでもよい。また、本明細書において、送受信ポイント（ＴＲＰ）は、送信ポイント、受信ポイント、パネル（ｐａｎｅｌ）、又はセルと読み替えてもよい。
【００１４】
また、複数のＴＲＰからそれぞれ送信されるノンコヒーレントのＰＤＳＣＨのスケジューリングを所定ＤＣＩ（例えば、単一のＤＣＩ）を用いて制御することも想定される。
【００１５】
この場合、異なるＴＲＰからそれぞれ送信されるＰＤＳＣＨを同じリソース（例えば、時間及び周波数リソース）に割当てて送信することも考えられる。例えば、同じコードワード（ＣＷ）に対応するＰＤＳＣＨを異なるレイヤで送信する構成（図１Ａ参照）、異なるＣＷに対応するＰＤＳＣＨを送信する構成（図１Ｂ参照）がサポートされてもよい。なお、ＣＷはトランスポートブロック（ＴＢ）に読み替えてもよい。
【００１６】
図１Ａでは、第１のＴＲＰから送信されるＰＤＳＣＨ（ＣＷ＃１に対応）がレイヤ１及び２の少なくとも一つを利用し、第２のＴＲＰから送信されるＰＤＳＣＨ（ＣＷ＃１に対応）がレイヤ３及び４の少なくとも一つを利用して同じ時間及び周波数リソースに割当てられる場合を示している。
【００１７】
図１Ｂでは、第１のＴＲＰから送信されるＰＤＳＣＨ（ＣＷ＃１に対応）と、第２のＴＲＰから送信されるＰＤＳＣＨ（ＣＷ＃２に対応）が同じ時間及び周波数リソースに割当てられる場合を示している。なお、第１のＴＲＰから送信されるＰＤＳＣＨと第２のＴＲＰから送信されるＰＤＳＣＨが時間及び周波数の少なくとも一つが異なるリソースに割当てられてもよい。
【００１８】
しかし、単一のＤＣＩを用いて複数のＴＲＰから送信されるＰＤＳＣＨをスケジューリングする場合、当該ＰＤＳＣＨの受信処理において疑似コロケーション（ＱＣＬ）の通知又はレートマッチングの通知等をどのように制御するかが問題となる。
【００１９】
また、異なるＴＲＰからそれぞれ送信されるＰＤＳＣＨを異なるリソース（例えば、時間及び周波数リソースの少なくとも一方が異なるリソース）に割当てて送信することも考えられる（図１Ｃ参照）。図１Ｃでは、第１のＴＲＰから送信されるＰＤＳＣＨ（ＣＷ＃１に対応）と、第２のＴＲＰから送信されるＰＤＳＣＨ（ＣＷ＃２に対応）が異なる時間及び周波数リソースに割当てられる場合を示している。
【００２０】
しかし、複数のＴＲＰ間で共通のＤＣＩ（例えば、単一のＤＣＩ）を用いて当該複数のＴＲＰから送信されるＰＤＳＣＨをスケジューリングする場合、各ＴＲＰからのＰＤＳＣＨの受信処理をどのように制御するかが問題となる。
【００２１】
本発明者等は、複数のＴＲＰから送信されるＰＤＳＣＨが所定ＤＣＩ（例えば、１つのＤＣＩ）でスケジューリングされる場合、当該所定ＤＣＩが複数のＰＤＳＣＨに対応している点に着目し、当該所定ＤＣＩを利用して各ＰＤＳＣＨの受信処理時に必要となる情報を通知することを着想した。
【００２２】
本開示の一態様では、複数のＴＲＰにそれぞれに対応するＴＣＩ状態に関する情報を含む所定の下り制御情報に基づいて、複数のＴＲＰから送信されるＤＬ信号（例えば、ＰＤＳＣＨ）の受信を制御する。なお、ＴＲＰは、ＤＭＲＳグループ、及びＤＭＲＳポートグループの少なくとも一つに読み替えられてもよい。また、ＴＣＩ状態は、疑似コロケーション（ＱＣＬ）に読み替えられてもよい。
【００２３】
（ＰＤＳＣＨ用のＱＣＬ）
疑似コロケーション（ＱＣＬ）とは、チャネルの統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Prameter））の少なくとも一つが同一であると仮定できることをいう。
【００２４】
ＱＣＬには、同一であると仮定できるパラメータ又はパラメータセットとして異なる一以上のタイプ（ＱＣＬタイプ）が設けられてもよい。例えば、同一であると仮定できるパラメータが異なる４つのＱＣＬタイプＡ〜Ｄが設けられてもよい。
【００２５】
・ＱＣＬタイプＡ：ドップラーシフト、ドップラースプレッド、平均遅延及び遅延スプレッドが同一であると仮定できるＱＣＬ
・ＱＣＬタイプＢ：ドップラーシフト及びドップラースプレッドが同一であると仮定できるＱＣＬ
・ＱＣＬタイプＣ：平均遅延及びドップラーシフトが同一であると仮定できるＱＣＬ
・ＱＣＬタイプＤ：空間受信パラメータが同一であると仮定できるＱＣＬ
【００２６】
送信コンフィグレーション指標（ＴＣＩ：Transmission  Configuration  Indicator）の状態（ＴＣＩ状態（TCI-state））は、ＰＤＳＣＨのＱＣＬに関する情報（ＱＣＬ情報又はＰＤＳＣＨ用のＱＣＬ情報等ともいう）を示してもよい（含んでもよい）。当該ＰＤＳＣＨ用のＱＣＬ情報は、例えば、当該ＰＤＳＣＨ（又は当該ＰＤＳＣＨ用のＤＭＲＳポート）と下り参照信号（ＤＬ−ＲＳ：Downlink  Reference  Signal）とのＱＣＬに関する情報であり、例えば、ＱＣＬ関係となるＤＬ−ＲＳに関する情報（ＤＬ−ＲＳ関連情報）及び上記ＱＣＬタイプを示す情報（ＱＣＬタイプ情報）の少なくとも一つを含んでもよい。
【００２７】
ここで、ＤＭＲＳポートは、復調用参照信号（ＤＭＲＳ：Demodulation  Reference  Signal）のアンテナポートである。ＤＭＲＳポートは、複数のＤＭＲＳポートを含むＤＭＲＳポートグループであってもよく、本明細書におけるＤＭＲＳポートは、ＤＭＲＳポートグループと読み替えられてもよい。
【００２８】
当該ＤＬ−ＲＳ関連情報は、ＱＣＬ関係となるＤＬ−ＲＳを示す情報及び当該ＤＬ−ＲＳのリソースを示す情報の少なくとも一つを含んでもよい。例えば、ＵＥに複数の参照信号セット（ＲＳセット）が設定される場合、当該ＤＬ−ＲＳ関連情報は、当該ＲＳセットに含まれる参照信号の中でＰＤＳＣＨ（又はＰＤＳＣＨ用のＤＭＲＳポート）とＱＣＬ関係となる所定のＤＬ−ＲＳ及び当該ＤＬ−ＲＳ用のリソースを示してもよい。
【００２９】
ここで、ＤＬ−ＲＳは、同期信号（例えば、プライマリ同期信号（ＰＳＳ：Primary  Synchronaization  Signal）及びセカンダリ同期信号（ＳＳＳ：Secondary  Synchronaization  Signal）の少なくとも一つ）、モビリティ参照信号（ＭＲＳ：Mobility  RS）、同期信号ブロック（ＳＳＢ：Synchronaization  Signal  Block）、チャネル状態情報参照信号（ＣＳＩ−ＲＳ：Channel  Satate  Information-Reference  Signal）、復調用参照信号（ＤＭＲＳ：DeModulation  Reference  Signal）、報知チャネル（ＰＢＣＨ：Physical  Broadcast  Channel）、ビーム固有の信号などの少なくとも１つ、又はこれらを拡張及び／又は変更して構成される信号（例えば、密度及び／又は周期を変更して構成される信号）であってもよい。
【００３０】
以上のように、各ＴＣＩ状態は、ＰＤＳＣＨ用のＱＣＬ情報を示すことができる（含むことができる）。ＵＥに対しては、一以上のＴＣＩ状態（一以上のＰＤＳＣＨ用のＱＣＬ情報）が上位レイヤシグナリング（例えば、ＲＲＣシグナリング）により無線基地局から通知（設定（configure））されてもよい。なお、ＵＥに設定されるＴＣＩ状態の数は、ＱＣＬタイプによって制限されてもよい。
【００３１】
ＰＤＳＣＨのスケジューリングに用いられるＤＣＩ（ＤＬアサインメント）は、ＴＣＩ状態（ＰＤＳＣＨ用のＱＣＬ情報）を示す所定のフィールド（ＴＣＩ状態通知用フィールド）を含んでもよい。ＴＣＩ状態通知用フィールドは、所定ビット数（例えば、１−３ビットのいずれか）で構成されてもよい。当該ＴＣＩ状態フィールドがＤＣＩに含まれるか否かは、無線基地局からの通知（例えば、上位レイヤシグナリング）によって制御されてもよい。
【００３２】
例えば、ＤＣＩが３ビットのＴＣＩ状態通知用フィールドを含む場合、無線基地局は、最大８種類のＴＣＩ状態を上位レイヤシグナリングによりＵＥに予め設定（configure）してもよい。ＤＣＩ内のＴＣＩ状態フィールドの値（ＴＣＩ状態フィールド値）は、上位レイヤシグナリングにより予め設定されたＴＣＩ状態の一つを示してもよい。
【００３３】
所定数（例えば、８）を超えるＴＣＩ状態がＵＥに設定される場合、所定信号（例えば、ＭＡＣ制御要素（Medium  Access  Control  Control  Element（ＭＡＣ  ＣＥ））により、所定数以下のＴＣＩ状態がアクティブ化（又は、指定）されてもよい。ＤＣＩ内のＴＣＩ状態通知用フィールドの値は、ＭＡＣ  ＣＥ（以下、ＭＡＣ制御情報とも記す）によりアクティブ化されたＴＣＩ状態の一つを示してもよい。
【００３４】
ＵＥは、ＤＣＩが示すＴＣＩ状態（ＰＤＳＣＨ用のＱＣＬ情報）に基づいて、ＰＤＳＣＨ（又はＰＤＳＣＨのＤＭＲＳポート）のＱＣＬを決定する。例えば、ＵＥは、サービングセルのＰＤＳＣＨのＤＭＲＳポート（又は、ＤＭＲＳポートグループ）が、ＤＣＩで通知されたＴＣＩ状態に対応するＤＬ−ＲＳとＱＣＬであると想定してＰＤＳＣＨの受信処理（例えば、復号処理及び／又は復調処理等）を制御する。これにより、ＰＤＳＣＨの受信精度を向上できる。
【００３５】
以下、本実施の形態について、図面を参照して詳細に説明する。なお、以下の説明では、ＴＣＩ状態に基づいてＰＤＳＣＨの復調に利用する場合について説明するが、本実施の形態はこれに限られない。ＴＣＩ状態を利用する動作（例えば、他の信号又はチャネルの受信処理）について適用することができる。また、本実施の形態は、ＵＬ信号（例えば、ＰＵＳＣＨ）の送信処理に対して適用してもよい。
【００３６】
また、以下の説明において、ＱＣＬは、空間におけるＱＣＬ（spatially  quasi  co-located）と読み替えてもよい。また、１つの送受信ポイントからＰＤＳＣＨが送信される場合、協調されたセルからの送信を含んでもよい。
【００３７】
以下の説明では、ＴＣＩ状態に関する情報について説明するが、ＴＣＩ状態に関する情報をレートマッチング（ＲＭ）に関する情報又は疑似コロケーションに関する情報と読み替えてもよい。
【００３８】
また、以下の実施の態様は、複数のＴＲＰを利用した通信システムであれば適用することができる。例えば、複数ＴＲＰからノンコヒーレント（non-coherent  transmission）となるＤＬ信号（例えば、ＣＷ又はＴＢ）が協調して送信される構成（ＮＣＪＴ）、各ＴＲＰから１つのＤＬ信号（例えば、ＣＷ又はＴＢ）から繰り返し送信する構成について適用してもよい。
【００３９】
１つのＣＷ／ＴＢを各ＴＲＰから繰り返し送信する構成は、時間的に異なるシンボル又はスロットで各ＴＲＰから１つのＣＷ又はＴＢを繰り返し送信する方法（時間多重（ＴＤＭ））、各ＴＲＰから同じ時間領域（例えば、シンボル）で異なる周波数リソースを利用して１つのＣＷ又はＴＢを繰り返し送信する方法（周波数多重（ＦＤＭ））、各ＴＲＰから同じ時間領域（例えば、シンボル）の同じ周波数リソースを利用して１つのＣＷ又はＴＢを繰り返して送信する（空間多重（ＳＤＭ））のいずれかであってもよい。
【００４０】
（第１の態様）
第１の態様では、１以上のＴＲＰからのデータ（例えば、ＰＤＳＣＨ又はＤＬ−ＳＣＨ）をスケジューリングする所定ＤＣＩ（例えば、単一のＤＣＩ）等を利用して、１又は複数のＴＣＩ状態が含まれるＴＣＩ状態のセットに関する情報をＵＥに通知する。なお、以下の説明では、ＵＥにＤＬ信号を送信するＴＲＰ数が２個以下の場合を例に挙げて説明するが、ＴＲＰ数はこれに限られず３個以上であってもよい。
【００４１】
＜上位レイヤによるセット設定＞
ネットワーク（例えば、基地局）は、１以上のＴＣＩ構成（又は、ＴＣＩ状態）を含む組み合わせ（セット、ＴＣＩセット又はＴＣＩ状態のセットと呼んでもよい）をＵＥに設定してもよい。図２Ａは、上位レイヤシグナリングを利用してＵＥに設定するＴＣＩセットの一例を示している。ここでは、セット０にＴＣＩ構成１（TCI  configuration  1）が含まれ、セット１にＴＣＩ構成２が含まれ、セット２にＴＣＩ構成３及びＴＣＩ構成４が含まれ、セット３にＴＣＩ構成５及びＴＣＩ構成６が含まれる場合を示している。上位レイヤで設定されるセット数は、所定数（例えば、８、１６、又は３２等）であってもよい。
【００４２】
各ＴＣＩ構成（又は、ＴＣＩ状態）は、いずれかのＴＲＰ（又は、ＤＭＲＳポート、ＤＭＲＳポートグループ）に関連付けられていてもよい。例えば、ＵＥがＮ個（ここではＮ＝２）のＴＲＰ（ＴＲＰ１及びＴＲＰ２）からのＰＤＳＣＨを受信する場合、各ＴＣＩ構成はＴＲＰ１又はＴＲＰ２のいずれかに関連付けて設定されてもよい。ＴＣＩ構成とＴＲＰとの関連情報は基地局からＵＥに通知してもよい。
【００４３】
例えば、ＴＣＩセットに１つのＴＣＩ構成が含まれる場合（ここでは、セット０、セット１）、ＴＣＩ構成はＴＲＰ１又はＴＲＰ２の一方と関連付けられていてもよい。ＴＣＩセットに複数のＴＣＩ構成が含まれる場合（ここでは、セット２、セット３）、各セットに含まれる複数のＴＣＩ構成は異なるＴＲＰに関連付けられていてもよい。例えば、セット２に含まれるＴＣＩ構成３がＴＲＰ１とＴＲＰ２の一方と関連付けられ、ＴＣＩ構成４がＴＲＰ１とＴＲＰ２の他方に関連付けられていてもよい。
【００４４】
＜ＭＡＣ  ＣＥによるセット選択＞
上位レイヤシグナリングで設定されるＴＣＩセットの数が所定値（例えば、８）より大きくなる場合、基地局は、ＭＡＣ制御情報を利用してアクティブ化（又は、ＤＣＩの所定フィールドにマッピング）するＴＣＩセットをＵＥに指定してもよい（図２Ｂ参照）。つまり、ＵＥは、基地局から送信されるＭＡＣ制御情報に基づいてアクティブ化するＴＣＩセットを選択してもよい。選択したＴＣＩセットをＤＣＩに含まれる所定ビットフィールドのコードポイントに設定（又はマッピング）してもよい。所定ビットフィールドは、例えば、ＴＣＩ状態通知用のビットフィールドであってもよい。
【００４５】
図２Ｂでは、上位レイヤで設定された複数のセットの中から、ＭＡＣ制御情報によりセット０、セット１、セット２、セット５、セット８、セット１０、セット１１、セット１４がアクティブ化される場合を示している。アクティブ化されたセットは、例えば、インデックス順にＤＣＩに含まれる所定ビットフィールドのコードポイントに設定されてもよい（図２Ｃ参照）。
【００４６】
＜ＤＣＩによるセット指定＞
基地局は、ＤＣＩを利用して所定のＴＣＩセットをＵＥに通知してもよい。例えば、ＵＥは、ＤＣＩに含まれる所定フィールドで通知されるコードポイントに基づいて、基地局から通知されるセットを判断する。図２Ｃでは、所定フィールドが３ビットの例を示しているが、所定フィールドのビット数はこれに限られない。ＵＥは、通知されたセットに含まれるＴＣＩ状態に基づいて、ＴＲＰから送信されるＰＤＳＣＨの受信処理を行なえばよい。
【００４７】
また、ＵＥは、指定されたセットに含まれるＴＣＩ構成に基づいて、ＰＤＳＣＨを送信するＴＲＰインデックス及びＴＲＰ数の少なくとも一つを判断してもよい。例えば、セット０が指定された場合、ＵＥは、１つのＴＲＰからＰＤＳＣＨが送信されると判断してもよい。一方で、セット２が指定された場合、ＵＥは、複数（ここでは、２つ）のＴＲＰからＰＤＳＣＨが送信されると判断してもよい。
【００４８】
このように、１又は複数のＴＣＩ構成を含むセットをＵＥに通知することにより、所定ＤＣＩを利用して複数のＴＲＰからのＰＤＳＣＨをスケジューリングする場合であっても、各ＴＲＰに対応するＴＣＩ状態を適切に通知することが可能となる。
【００４９】
（第２の態様）
第２の態様では、複数のＴＲＰからのデータ（例えば、ＰＤＳＣＨ又はＤＬ−ＳＣＨ）をスケジューリングする所定ＤＣＩ等を利用して、１又は複数の参照信号リソース（ＲＳ  ｒｅｓｏｕｒｃｅ、又はＲＳリソースとも呼ぶ）に関連づけられたＴＣＩ状態（又は、ＴＣＩ構成）をＵＥに通知する。
【００５０】
＜上位レイヤによるＴＣＩ状態設定＞
ネットワーク（例えば、基地局）は、１以上のＲＳリソースに関連付けられたＴＣＩ状態をＵＥに設定してもよい。図３Ａは、上位レイヤシグナリングを利用してＵＥに設定するＴＣＩ状態の一例を示している。ＲＳリソースに関する情報（ＲＳ種別、ＲＳ送信条件等）は、あらかじめ上位レイヤシグナリング等を利用して基地局からＵＥに通知してもよい。
【００５１】
ここでは、１つのＲＳリソースに対応する（又は、１つのＲＳリソースを有する）ＴＣＩ状態１が「Ｔ０」に設定され、１つのＲＳリソースに対応するＴＣＩ状態２が「Ｔ１」に設定され、１つのＲＳリソースに対応するＴＣＩ状態３が「Ｔ２」に設定され、２つのＲＳリソースに対応するＴＣＩ状態４が「Ｔ３」に設定され、２つのＲＳリソースに対応するＴＣＩ状態５が「Ｔ４」に設定される場合を示している。「Ｔ５」以降についても適宜設定されてもよい。
【００５２】
１つのＲＳリソースに対応するＴＣＩ状態（ここでは、ＴＣＩ状態１−３）は、いずれかのＴＲＰ（又は、ＤＭＲＳポート、ＤＭＲＳポートグループ）に関連付けられていてもよい。例えば、ＵＥがＮ個（ここではＮ＝２）のＴＲＰ（ＴＲＰ１及びＴＲＰ２）からのＰＤＳＣＨを受信する場合、ＴＣＩ状態１−３（Ｔ０−Ｔ２）はそれぞれＴＲＰ１又はＴＲＰ２のいずれかに関連付けて設定されてもよい。Ｔ０−Ｔ２は、それぞれ同じＴＲＰが関連付けられてもよいし、異なるＴＲＰが関連付けられてもよい。また、ＴＣＩ状態とＴＲＰとの関連情報は基地局からＵＥに通知してもよい。
【００５３】
複数（ここでは２つ）のＲＳリソースに対応するＴＣＩ状態（ここでは、ＴＣＩ状態４−５）は、各ＲＳリソースがそれぞれ１つのＴＲＰ（又は、ＤＭＲＳポート、ＤＭＲＳポートグループ）に関連付けられていてもよい。例えば、一方のＲＳリソースがＴＲＰ１とＴＲＰ２の一方に関連付けられ、他方のＲＳリソースがＴＲＰ１とＴＲＰ２の他方に関連付けられていてもよい。
【００５４】
また、複数のＲＳリソースは、タイプが異なるＱＣＬに対応づけられていてもよい。例えば、ＴＣＩ状態４に対応する２つのＲＳリソースのうち、一方のＲＳリソースがＱＣＬタイプＢに対応し、他方のＲＳリソースがＱＣＬタイプＤに対応してもよい。
【００５５】
＜ＭＡＣ  ＣＥによるＴＣＩ状態選択＞
上位レイヤシグナリングで設定されるＴＣＩ状態（又は、「Ｔ」）の数が所定値（例えば、８）より大きくなる場合、基地局は、ＭＡＣ制御情報を利用してアクティブ化するＴＣＩ状態をＵＥに指定してもよい（図３Ｂ参照）。つまり、ＵＥは、基地局から送信されるＭＡＣ制御情報に基づいてアクティブ化するＴＣＩ状態を選択してもよい。選択したＴＣＩ状態は、ＤＣＩに含まれる所定ビットフィールドのコードポイントに設定されてもよい。所定ビットフィールドは、例えば、ＴＣＩ状態通知用のビットフィールドであってもよい。
【００５６】
図３Ｂでは、上位レイヤで設定された複数のＴＣＩ状態の中から、ＭＡＣ制御情報によりＴ０、Ｔ１、Ｔ２、Ｔ５、Ｔ８、Ｔ１０、Ｔ１１、１４がアクティブ化される場合を示している。ここでは、アクティブ化されたＴＣＩ状態がインデックス順にＤＣＩに含まれる所定ビットフィールドのコードポイントにマッピングされる場合を示している（図３Ｂ参照）。
【００５７】
＜ＤＣＩによるＴＣＩ状態指定＞
基地局は、ＤＣＩを利用して所定のＴＣＩ状態をＵＥに通知してもよい。例えば、ＵＥは、ＤＣＩに含まれる所定フィールドで通知されるコードポイントに基づいて、基地局から通知されるＴＣＩ状態を判断する。図３Ｃでは、所定フィールドが３ビットの例を示しているが、所定フィールドのビット数はこれに限られない。ＵＥは、通知されたＴＣＩ状態（又は、ＴＣＩ状態に関連づけられたＲＳリソース）に基づいて、ＴＲＰから送信されるＰＤＳＣＨの受信処理を行なえばよい。
【００５８】
また、ＵＥは、指定されたＴＣＩ状態に対応するＲＳリソースに基づいて、ＰＤＳＣＨを送信するＴＲＰインデックス及びＴＲＰ数の少なくとも一つを判断してもよい。例えば、１つのＲＳセットが関連付けられたＴＣＩ状態が指定された場合、ＵＥは、１つのＴＲＰからＰＤＳＣＨが送信されると判断してもよい。一方で、２つのＲＳセットが関連付けられたＴＣＩ状態が指定された場合、ＵＥは、複数（ここでは、２つ）のＴＲＰからＰＤＳＣＨが送信されると判断してもよい。
【００５９】
このように、１又は複数のＲＳリソースが対応するＴＣＩ状態をＵＥに通知することにより、所定ＤＣＩを利用して複数のＴＲＰからのＰＤＳＣＨをスケジューリングする場合であっても、各ＴＲＰに対応するＴＣＩ状態を適切に通知することが可能となる。
【００６０】
（第３の態様）
第３の態様では、複数のＴＲＰからのデータ（例えば、ＰＤＳＣＨ又はＤＬ−ＳＣＨ）をスケジューリングする所定ＤＣＩ等を利用して、１又は複数のＴＣＩ状態（又は、ＴＣＩ構成）をＵＥに通知する。
【００６１】
例えば、ＤＣＩに含まれる所定フィールドの少なくとも一つのコードポイントを利用して２つ以上のＴＣＩ状態の指定を許容する。また、所定のコードポイントに対応する複数のＴＣＩ状態をペア（又は、グループ、セット）としてあらかじめ定義又は設定してもよい。以下の説明では、各コードポイントに対応するＴＣＩ状態の最大数を２とする場合を例に挙げるが、各コードポイントに対応させるＴＣＩ状態の数は３以上としてもよい。例えば、以下の説明において、ペアをグループ又はセットに置き換えてもよい。
【００６２】
＜上位レイヤによるセット設定＞
ネットワーク（例えば、基地局）は、所定のＴＲＰ（又は、ＤＭＲＳポート、ＤＭＲＳポートグループ）に関連付けられたＴＣＩ状態をＵＥに設定してもよい。図４Ａは、上位レイヤシグナリングを利用してＵＥに設定するＴＣＩ状態の一例を示している。
【００６３】
ここでは、ＴＲＰ１（又は、ＤＭＲＳポート１、ＤＭＲＳポートグループ１）に対応するＴＣＩ状態１が「Ｔ０」に設定され、ＴＲＰ２に対応するＴＣＩ状態２が「Ｔ１」に設定され、ＴＲＰ１に対応するＴＣＩ状態３が「Ｔ２」に設定され、ＴＲＰ２に対応するＴＣＩ状態４が「Ｔ３」に設定され、ＴＲＰ１に対応するＴＣＩ状態５が「Ｔ４」に設定され、ＴＲＰ２に対応するＴＣＩ状態６が「Ｔ５」に設定される場合を示している。「Ｔ６」以降についても適宜設定されてもよい。
【００６４】
上位レイヤで設定されたＴＣＩ状態（又は、Ｔ）において、インデックスが連続するＴＣＩ状態がＴＣＩ状態のペア（又は、セット、組み合わせとも呼ぶ）として設定されてもよい。以下の説明では、「Ｔ０とＴ１」、「Ｔ２とＴ３」、「Ｔ４とＴ５」、・・・「Ｔ２２とＴ２３」、・・・がペアとして設定される場合について説明する。もちろんＴＣＩ状態（又は、Ｔ）の組み合わせはこれに限られない。
【００６５】
基地局は、ペアとして設定される２つのＴＣＩ状態（例えば、ＴＣＩ状態１とＴＣＩ状態２）にそれぞれ関連付けられるＴＲＰが異なるように設定してもよい。ペアに含まれるＴＣＩ状態が異なるＴＲＰ（又は、ＲＳリソース）に関連づけられた構成とすることにより、１つのペアで複数のＴＲＰに対応するＱＣＬを指定することができる。
【００６６】
＜ＭＡＣ  ＣＥによるＴＣＩ状態選択＞
上位レイヤシグナリングで設定されるＴＣＩ状態（又は、Ｔ）の数又はＴＣＩ状態のペア数が所定値（例えば、８）より大きくなる場合、基地局は、ＭＡＣ制御情報を利用してアクティブ化するＴＣＩ状態又はＴＣＩ状態ペアをＵＥに通知してもよい（図４Ｂ参照）。ＵＥは、基地局から送信されるＭＡＣ制御情報に基づいてアクティブ化するＴＣＩ状態（又は、ＴＣＩ状態のペア）を決定してもよい。
【００６７】
ＭＡＣ制御情報で指定されたＴＣＩ状態（又は、ＴＣＩ状態ペア）は、ＤＣＩに含まれる所定ビットフィールドのコードポイントに設定されてもよい。所定ビットフィールドは、例えば、ＴＣＩ状態通知用のビットフィールドであってもよい。また、各コードポイントに対してペア単位でＴＣＩ状態が設定されてもよい。
【００６８】
例えば、インデックスが連続するＴＣＩ状態（又は、Ｔ）でペアが構成される場合（図５参照）、基地局は、ペア数が所定値以下となるように各ＴＣＩ状態のアクティブ化を制御してもよい。
【００６９】
図４Ｂでは、上位レイヤで設定された複数のＴＣＩ状態の中から、ＭＡＣ制御情報によりＴ０、Ｔ１、Ｔ２、Ｔ５、Ｔ８、Ｔ１０、Ｔ１１、Ｔ１４、Ｔ１６、Ｔ２２、Ｔ２３がアクティブ化される場合を示している。また、ここではＭＡＣ制御情報により指定されるペア数が８個以下となる場合を示している。なお、ペアとなる複数ＴＣＩ状態（ここでは、２個のＴＣＩ状態）のうち一方のＴＣＩ状態のみアクティブ化されてもよいし、両方のＴＣＩ状態がアクティブ化されてもよい。
【００７０】
ペアに含まれるＴＣＩ状態のうち少なくとも一つのＴＣＩ状態がアクティブ化される場合、ＵＥは、当該ペアがアクティブ化されたと想定して、当該ペアに含まれるＴＣＩ状態がＤＣＩに含まれる所定フィールドのコードポイントに設定されると判断してもよい。例えば、所定フィールドで指定される数がＮ個（例えば、８個）である場合、最大Ｎ個のペアがＭＡＣ制御情報によりアクティブ化されてもよい。
【００７１】
また、所定コードポイントに対応するＴＣＩ状態は、当該所定コードポイントに対応するペアに含まれるＴＣＩ状態の中でＭＡＣ制御情報でアクティブ化されたＴＣＩ状態としてもよい。つまり、ペアに含まれる２つのＴＣＩ状態がアクティブ化されている場合には所定コードポイントに２つのＴＣＩ状態が対応し、ペアに含まれる１つのＴＣＩ状態のみがアクティブ化されている場合には所定コードポイントに１つのＴＣＩ状態が対応してもよい。
【００７２】
一方で、ペアに含まれる複数（ここでは、２個）のＴＣＩ状態の全てがアクティブ化されない場合、当該ペアはディアクティブ化されてＤＣＩの所定フィールドのコードポイントに設定されないと判断してもよい。
【００７３】
ＵＥは、ペアに含まれるＴＣＩ状態の両方がアクティブ化される場合、コードポイントに２個のＴＣＩ状態が設定されると想定してもよい。一方で、ペアに含まれるＴＣＩ状態の片方がアクティブ化される場合、コードポイントに１個のＴＣＩ状態が設定されると想定してもよい。
【００７４】
例えば、Ｔ０とＴ１により構成されるペアは、以下のケース１−３の少なくともいずれかの場合にＤＣＩの所定のコードポイントに設定又はマッピングされる構成としてもよい。
ケース１：Ｔ０＝１、Ｔ１＝０（Ｔ０がアクティブ化）
ケース２：Ｔ０＝０、Ｔ１＝１（Ｔ１がアクティブ化）
ケース３：Ｔ０＝１、Ｔ１＝１（Ｔ０及びＴ１の両方がアクティブ化）
【００７５】
一方で、Ｔ０とＴ１により構成されるペアは、以下のケース４の場合にＤＣＩの所定のコードポイントに設定又はマッピングされない。
ケース４：Ｔ０＝０、Ｔ１＝０（Ｔ０及びＴ１の両方がディアクティブ化）
【００７６】
各ペアに含まれる２つのＴＣＩ状態は、互いに異なる種別のＴＣＩ状態としてもよい。例えば、各ペアに含まれる２つのＴＣＩ状態は、異なるＣＤＭグループ、ＤＭＲＳポート、ＤＭＲＳポートグループ、ＴＲＰ、又はパネルに対応していてもよい。各ＴＣＩ状態が対応するＣＤＭグループ、ＤＭＲＳポート、ＤＭＲＳポートグループ、ＴＲＰ、又はパネルに関する情報は上位レイヤシグナリング等でＵＥに設定されてもよい。
【００７７】
あるいは、各ペアに含まれる２つのＴＣＩ状態は、互いに同じ種別のＴＣＩ状態としてもよい。例えば、各ペアに含まれる２つのＴＣＩ状態は、同じＣＤＭグループ、ＤＭＲＳポート、ＤＭＲＳポートグループ、ＴＲＰ、又はパネルに対応していてもよい。２つのＴＣＩ状態が同じＣＤＭグループ、ＤＭＲＳポート、ＤＭＲＳポートグループ、ＴＲＰ、又はパネルに対応する場合、ＭＡＣ制御情報により２つのＴＣＩ状態のうち一方がアクティブ化されてもよい。
【００７８】
ＭＡＣ制御情報でアクティブ化されたＴＣＩ状態（又は、ペア）は、所定ルールに基づいてＤＣＩの所定フィールドのコードポイントに設定又はマッピングされてもよい。例えば、アクティブ化されたＴＣＩ状態が含まれるペアに含まれるＴＣＩ状態のインデックスに基づいて（例えば、インデックスが小さい順に）各コードポイントへのマッピング順序を決定してもよい。
【００７９】
このように、ＭＡＣ制御情報により１以上のペアがＤＣＩの所定フィールドにマッピングされる。また、所定フィールドの各コードポイントにマッピングされるペアは１又は複数（ここでは、２個）のＴＣＩ状態を含む。なお、ＭＡＣ制御情報によるＴＣＩ状態又はペアのアクティブ化（又は、ＤＣＩへのマッピング）の適用有無は、上位レイヤシグナリング等で設定してもよい。
【００８０】
＜ＤＣＩによるＴＣＩ状態指定＞
基地局は、ＤＣＩを利用して所定のＴＣＩ状態をＵＥに通知してもよい。例えば、ＵＥは、ＤＣＩに含まれる所定フィールドで通知されるコードポイントに基づいて、基地局から通知されるＴＣＩ状態を判断する。図４Ｃでは、所定フィールドが３ビットの例を示しているが、所定フィールドのビット数はこれに限られない。ＵＥは、通知されたＴＣＩ状態に基づいて、ＴＲＰから送信されるＰＤＳＣＨの受信処理を行なえばよい。
【００８１】
ＵＥは、指定されたＴＣＩ状態に基づいて、ＰＤＳＣＨを送信するＴＲＰインデックス及びＴＲＰ数の少なくとも一つを判断してもよい。例えば、１つのＴＣＩ状態がマッピングされたコードポイントが指定される場合、ＵＥは、１つのＴＲＰからＰＤＳＣＨが送信されると判断してもよい。一方で、２つのＴＣＩ状態がマッピングされたコードポイントが通知された場合、ＵＥは、複数（ここでは、２つ）のＴＲＰからＰＤＳＣＨが送信されると判断してもよい。
【００８２】
このように、１又は複数のＴＣＩ状態がマッピングされたコードポイントをＵＥに通知することにより、所定ＤＣＩを利用して複数のＴＲＰからのＰＤＳＣＨをスケジューリングする場合であっても、各ＴＲＰに対応するＴＣＩ状態を適切に通知することが可能となる。
【００８３】
なお、図４Ａでは、インデックスが奇数のＴＣＩ状態にＴＲＰ１を関連付け、インデックスが偶数のＴＣＩ状態にＴＲＰ２を関連付ける場合を示しているがこれに限られない。
【００８４】
例えば、インデックスが連続するＴＣＩ状態に同じＴＲＰ（又は、ＤＭＲＳポート、ＤＭＲＳポートグループ）を関連付けて上位レイヤシグナリングでＵＥに設定してもよい（図６Ａ参照）。基地局は、ペアを構成する２つのＴＣＩ状態を同じＴＲＰに関連付けてもよいし、異なるＴＲＰに関連づくように設定してもよい。ここでは、Ｔ０とＴ１のペア、Ｔ２とＴ３のペアにおいて２つのＴＣＩ状態が同じＴＲＰに関連付けられ、Ｔ４とＴ５のペア、Ｔ６とＴ７のペアにおいて２つのＴＣＩ状態が同じＴＲＰに関連付けられる場合を示している。
【００８５】
基地局は、ＭＡＣ制御情報でアクティブ化するＴＣＩ状態を通知する場合に、同じＴＲＰに関連付けられたＴＣＩ状態を含むペアについて、いずれか一方（又は、最大１つ）のＴＣＩ状態をアクティブ化するように制御してもよい（図６Ｂ参照）。また、基地局は、異なるＴＲＰに関連付けられたＴＣＩ状態を含むペアについて、少なくとも１つ（又は、最大２つ）のＴＣＩ状態をアクティブ化するように制御してもよい。
【００８６】
この場合、同じＴＲＰに対応するＴＣＩ状態を含むペアでは、いずれか一方のＴＣＩ状態がＤＣＩの所定フィールドのコードポイントに設定される（図６Ｃ参照）。また、異なるＴＲＰに関連付けられたＴＣＩ状態を含むペアでは、少なくとも１つ（又は、最大２つ）のＴＣＩ状態がＤＣＩの所定フィールドのコードポイントに設定される。
【００８７】
ＵＥは、各コードポイントに設定されるＴＣＩ状態の数に基づいて、ＰＤＳＣＨを送信するＴＲＰインデックス及びＴＲＰ数の少なくとも一つを判断してもよい。
【００８８】
（バリエーション）
第３の態様では、インデックスが連続するＴＣＩ状態（又は、Ｔ）によりペアを構成する場合を示したが、非連続のＴＣＩ状態（又は、Ｔ）によりペアを形成してもよい。以下にインデックスが非連続のＴＣＩ状態（又は、Ｔ）によりペアを形成する場合について説明する。
【００８９】
＜上位レイヤによるセット設定＞
図７Ａは、上位レイヤシグナリングを利用してＵＥに設定するＴＣＩ状態の一例を示している。ここでは、ＴＲＰ１（又は、ＤＭＲＳポート１、ＤＭＲＳポートグループ１）に対応するＴＣＩ状態１−１２がそれぞれ「Ｔ０」−「Ｔ１１」に設定され、ＴＲＰ２に対応するＴＣＩ状態１３−２３が「Ｔ１２」−「Ｔ２３」に設定される場合を示している。なお、設定可能なＴＣＩ状態（又は、Ｔ）は２４個に限られない。
【００９０】
同じＴＲＰ（又は、ＤＭＲＳポート１、ＤＭＲＳポートグループ１）に対応づけられたＴＣＩ状態（例えば、ＴＣＩ状態１とＴＣＩ状態２）は、同じＲＳリソースを参照してもよい。
【００９１】
ここでは、インデックスが非連続となるＴＣＩ状態がペアとして設定される。ＴＣＩ状態のペアはあらかじめ仕様で定義されてもよいし、上位レイヤシグナリング等によりＵＥに設定されてもよい。
【００９２】
例えば、ＴｉとＴｉ＋Ｘがペアに設定されてもよい。Ｘは、例えば上位レイヤシグナリングで設定されたＴＣＩ状態の最大数（ここでは、２４）に基づいて決定される値であってもよい。一例として、ＴＣＩ状態の最大数の半分の値（ここでは、１２）としてもよい。この場合、Ｔ０とＴ１２でペアが形成される。同様に、Ｔ１とＴ１３、Ｔ２とＴ１４、・・・Ｔ１１とＴ２３でそれぞれペアが形成される。
【００９３】
Ｔ０〜ＴＸ−１は、同じＣＤＭグループ、ＤＭＲＳポート、ＤＭＲＳポートグループ、ＴＲＰ、又はパネルに対応してもよい。同様に、ＴＸ〜Ｔ２Ｘ−１は、同じＣＤＭグループ、ＤＭＲＳポート、ＤＭＲＳポートグループ、ＴＲＰ、又はパネルに対応してもよい。また、Ｔ０〜ＴＸ−１とＴＸ〜Ｔ２Ｘ−１とは、異なるＣＤＭグループ、ＤＭＲＳポート、ＤＭＲＳポートグループ、ＴＲＰ、又はパネルに対応していてもよい。
【００９４】
このように、ペアとして設定される２つのＴＣＩ状態（例えば、Ｔ０とＴ１２）にそれぞれ異なるＴＲＰ（又は、ＲＳリソース）を関連付けることにより、１つのペアで複数のＴＲＰに対応するＱＣＬを指定することができる。
【００９５】
＜ＭＡＣ  ＣＥによるＴＣＩ状態選択＞
上位レイヤシグナリングで設定されるＴＣＩ状態（例えば、Ｔ０−Ｔ２３）の数又はＴＣＩ状態ペア数が所定値（例えば、４）より大きくなる場合、基地局は、ＭＡＣ制御情報を利用してアクティブ化するＴＣＩ状態又はＴＣＩ状態ペアをＵＥに通知してもよい（図７Ｂ参照）。つまり、ＵＥは、基地局から送信されるＭＡＣ制御情報に基づいてアクティブ化するＴＣＩ状態及びＴＣＩ状態ペアの少なくとも一方を選択してもよい。
【００９６】
アクティブ化が指示されたＴＣＩ状態及びＴＣＩ状態ペアの少なくとも一方をＤＣＩに含まれる所定ビットフィールドのコードポイントに設定してもよい。所定ビットフィールドは、例えば、ＴＣＩ状態通知用のビットフィールドであってもよい。
【００９７】
図７Ｂでは、上位レイヤで設定された複数のＴＣＩ状態の中から、ＭＡＣ制御情報によりＴ０、Ｔ２、Ｔ１０、Ｔ１３、Ｔ１４、Ｔ２２がアクティブ化される場合を示している。なお、ペアとなる複数のＴＣＩ状態（ここでは、２個のＴＣＩ状態）のうち一方のＴＣＩ状態のみアクティブ化されてもよいし、両方のＴＣＩ状態がアクティブ化されてもよい。
【００９８】
ペアに含まれるＴＣＩ状態のうち少なくとも一つのＴＣＩ状態がアクティブ化された場合、ＵＥは、当該ペアがアクティブ化されたと想定してＤＣＩに含まれる所定フィールドのコードポイントに当該ペアに含まれるＴＣＩ状態が対応すると判断してもよい。例えば、所定フィールドで通知される数がＮ個（例えば、４個（又は、２ビット））である場合、最大Ｎ個のペアがＭＡＣ制御情報によりアクティブ化されてもよい。
【００９９】
また、所定コードポイントに対応するＴＣＩ状態は、当該所定コードポイントに対応するペアに含まれるＴＣＩ状態の中でＭＡＣ制御情報でアクティブ化されたＴＣＩ状態であってもよい。つまり、ペアに含まれる２つのＴＣＩ状態がアクティブ化されている場合には所定コードポイントに２つのＴＣＩ状態が対応し、ペアに含まれる１つのＴＣＩ状態のみがアクティブ化されている場合には所定コードポイントに１つのＴＣＩ状態が対応してもよい。
【０１００】
一方で、ペアに含まれる複数（ここでは、２個）のＴＣＩ状態の全てがアクティブ化されない場合、ＵＥは、当該ペアはディアクティブ化されてＤＣＩの所定フィールドのコードポイントに設定されないと判断してもよい。
【０１０１】
ＭＡＣ制御情報でアクティブ化されたＴＣＩ状態（又は、ペア）は所定ルールに基づいてＤＣＩの所定フィールドのコードポイントに設定又はマッピングされてもよい。例えば、アクティブ化されたＴＣＩ状態が属するペアに含まれるＴＣＩ状態のインデックスに基づいて各コードポイントへのマッピング順序を決定してもよい。一例として、ペアに含まれるＴＣＩ状態の中でインデックスが小さい順にコードポイントへマッピングしてもよい。
【０１０２】
この場合、ペアに含まれる一方のＴＣＩ状態のみがアクティブ化される場合には、アクティブ化されないＴＣＩ状態のインデックスも考慮に入れて所定フィールドのコードポイントへのマッピング順序を決定してもよい（図７Ｃ参照）。図７Ｃでは、Ｔ１とＴ１３を含むペアにおいてＴ１はアクティブ化されず、Ｔ１３のみがアクティブ化されるが、Ｔ１（インデックス１）を考慮してコードポイントへのマッピングを決定してもよい。
【０１０３】
あるいは、ＭＡＣ制御情報で実際にアクティブ化されたＴＣＩ状態のインデックスに基づいて各コードポイントにマッピングされるＴＣＩ状態を決定してもよい（図８参照）。一例として、アクティブ化されたＴＣＩ状態の中でインデックスが小さい順にコードポイントへマッピングしてもよい。
【０１０４】
この場合、ペアを構成する一方のＴＣＩ状態のみがアクティブ化される場合には、アクティブ化されないＴＣＩ状態のインデックスは考慮せずに所定フィールドのコードポイントへのマッピング順序を決定してもよい。
【０１０５】
このように、ＭＡＣ制御情報により１以上のペアがＤＣＩの所定フィールドにマッピングされる。また、所定フィールドの各コードポイントにマッピングされるペアは１又は複数（ここでは、２個）のＴＣＩ状態を含む。なお、ＭＡＣ制御情報によるＴＣＩ状態又はペアのアクティブ化（又は、ＤＣＩへのマッピング）の適用有無は、上位レイヤシグナリング等で設定してもよい。
【０１０６】
ペアを形成するＴＣＩ状態をインデックスが非連続の場合を許容することにより、ペアの形成を柔軟に制御することができる。ペアを形成するＴＣＩ状態は仕様であらかじめ定義されてもよいし、上位レイヤシグナリング等でＵＥに通知してもよい。
【０１０７】
＜ＤＣＩによるＴＣＩ状態指定＞
基地局は、ＤＣＩを利用して所定のＴＣＩ状態をＵＥに通知してもよい。例えば、ＵＥは、ＤＣＩに含まれる所定フィールドで通知されるコードポイントに基づいて、基地局から通知されるＴＣＩ状態を判断する。図７Ｃでは、所定フィールドが２ビットの例を示しているが、所定フィールドのビット数はこれに限られない。ＵＥは、通知されたＴＣＩ状態に基づいて、ＴＲＰから送信されるＰＤＳＣＨの受信処理を行なえばよい。
【０１０８】
ＵＥは、指定されたＴＣＩ状態に基づいて、ＰＤＳＣＨを送信するＴＲＰインデックス及びＴＲＰ数の少なくとも一つを判断してもよい。例えば、１つのＴＣＩ状態がマッピングされたコードポイントが通知された場合、ＵＥは、１つのＴＲＰからＰＤＳＣＨが送信されると判断してもよい。一方で、２つのＴＣＩ状態がマッピングされたコードポイントが通知された場合、ＵＥは、複数（ここでは、２つ）のＴＲＰからＰＤＳＣＨが送信されると判断してもよい。
【０１０９】
このように、１又は複数のＴＣＩ状態がマッピングされたコードポイントをＵＥに通知することにより、所定ＤＣＩを利用して複数のＴＲＰからのＰＤＳＣＨをスケジューリングする場合であっても、各ＴＲＰに対応するＴＣＩ状態を適切に通知することが可能となる。
【０１１０】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１１】
図９は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１１２】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１１３】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１１４】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１１５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１６】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１１７】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１１８】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１１９】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１２０】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１２１】
ユーザ端末２０は、ＬＴＥ、ＬＴＥ−Ａ、５Ｇなどの通信方式の少なくとも１つに対応した端末であってもよい。
【０１２２】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１２３】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１２４】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１２５】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１２６】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１２７】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１２８】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１２９】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１３０】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１３１】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１３２】
なお、本開示において下りリンク、上りリンクなどは「リンク」を付けずに表現されてもよい。また、各種チャネルの先頭に「物理（Physical）」を付けずに表現されてもよい。
【０１３３】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１３４】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１３５】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１３６】
（基地局）
図１０は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１３７】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１３８】
制御部１１０は、基地局１０全体の制御を実施する。制御部１１０は、本開示に係る技術分野での共通認識に基づいて説明されるコントローラ、制御回路などから構成することができる。
【０１３９】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１４０】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１４１】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１４２】
送受信アンテナ１３０は、本開示に係る技術分野での共通認識に基づいて説明されるアンテナ、例えばアレイアンテナなどから構成することができる。
【０１４３】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１４４】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１４５】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１４６】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１４７】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１４８】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１４９】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５０】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１５１】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１５２】
なお、本開示における基地局１０の送信部及び受信部は、送受信部１２０、送受信アンテナ１３０及び伝送路インターフェース１４０の少なくとも１つによって構成されてもよい。
【０１５３】
なお、送受信部１２０は、複数の送受信ポイントにそれぞれ対応するＴＣＩ状態に関する情報を含む所定の下り制御情報を送信する。送受信部１２０は、ＴＣＩ状態のセットに関する情報、ＴＣＩが対応するＲＳリソースに関する情報、及びＴＣＩ状態のペアに関する情報の少なくとも一つを上位レイヤシグナリングを利用して送信してもよい。また、送受信部１２０は、アクティブ化（例えば、ＤＣＩの所定フィールドへのマッピング）を指示するＭＡＣ制御情報を送信してもよい。
【０１５４】
制御部１１０は、ＴＣＩ状態の設定、ＴＣＩ状態のアクティブ化、及びＰＤＳＣＨに対応するＴＣＩ状態の通知を制御する。
【０１５５】
（ユーザ端末）
図１１は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１５６】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１５７】
制御部２１０は、ユーザ端末２０全体の制御を実施する。制御部２１０は、本開示に係る技術分野での共通認識に基づいて説明されるコントローラ、制御回路などから構成することができる。
【０１５８】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１５９】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１６０】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１６１】
送受信アンテナ２３０は、本開示に係る技術分野での共通認識に基づいて説明されるアンテナ、例えばアレイアンテナなどから構成することができる。
【０１６２】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１６３】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１６４】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１６５】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１６６】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１６７】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１６８】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１６９】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７０】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１７１】
なお、本開示におけるユーザ端末２０の送信部及び受信部は、送受信部２２０、及び送受信アンテナ２３０の少なくとも１つによって構成されてもよい。
【０１７２】
なお、送受信部２２０は、複数の送受信ポイントにそれぞれ対応するＴＣＩ状態に関する情報を含む所定の下り制御情報を受信する。送受信部２２０は、ＴＣＩ状態のセットに関する情報、ＴＣＩが対応するＲＳリソースに関する情報、及びＴＣＩ状態のペアに関する情報の少なくとも一つ通知する上位レイヤシグナリングを受信してもよい。また、送受信部２２０は、アクティブ化（例えば、ＤＣＩの所定フィールドへのマッピング）を指示するＭＡＣ制御情報を受信してもよい。
【０１７３】
制御部２１０は、複数の送受信ポイントにそれぞれ対応するＴＣＩ状態に関する情報を含む所定の下り制御情報に基づいて複数の送受信ポイントから送信される物理共有チャネルの受信を制御する。
【０１７４】
下り制御情報に含まれるＴＣＩ状態通知用のビットフィールドの所定コードポイントで指定される所定のＴＣＩ状態が、１又は複数の参照信号リソースに関連付けられていてもよい。
【０１７５】
あるいは、下り制御情報に含まれるＴＣＩ状態通知用のビットフィールドの各コードポイントが、１又は複数のＴＣＩ状態に対応していてもよい。下り制御情報に含まれるＴＣＩ状態通知用のビットフィールドの各コードポイントが、１又は複数のＴＣＩ状態に対応している。また、各コードポイントに設定されるＴＣＩ状態のインデックス及び数の少なくとも一つは、ＭＡＣ制御情報で指定されてもよい。また、各コードポイントにそれぞれ設定可能な複数のＴＣＩ状態は、インデックスが連続するＴＣＩ状態であってもよい。
【０１７６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１７８】
例えば、本開示の一実施形態における基地局、ユーザ端末などは、本開示の無線通信方法の処理を行うコンピュータとして機能してもよい。図１２は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１８０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１８１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１８２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１８３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１８４】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８５】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１８７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１８８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８９】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１９１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１９２】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１９３】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１９４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９６】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２００】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２０１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０２】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２０３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２０４】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２０５】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２０６】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２０７】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２０８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２０９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２１０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２１２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１５】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２１６】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２１７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２２１】
本開示において使用する「システム」及び「ネットワーク」という用語は、互換的に使用され得る。「ネットワーク」は、ネットワークに含まれる装置（例えば、基地局）のことを意味してもよい。
【０２２２】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２２３】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２２４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２５】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２２６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２７】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２２８】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２９】
同様に、本開示におけるユーザ端末は、基地局で読み替えてもよい。この場合、上述のユーザ端末２０が有する機能を基地局１０が有する構成としてもよい。
【０２３０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２３１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２３２】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２３３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３８】
また、「判断（決定）」は、「想定する（assuming）」、「期待する（expecting）」、「みなす（considering）」などで読み替えられてもよい。
【０２３９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２４０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２４１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２４２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２４３】
本開示において、例えば、英語でのa,  an及びtheのように、翻訳によって冠詞が追加された場合、本開示は、これらの冠詞の後に続く名詞が複数形であることを含んでもよい。
【０２４４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020166033.tif 000003
【図２】
2020166033.tif 000004
【図３】
2020166033.tif 000005
【図４】
2020166033.tif 000006
【図５】
2020166033.tif 000007
【図６】
2020166033.tif 000008
【図７】
2020166033.tif 000009
【図８】
2020166033.tif 000010
【図９】
2020166033.tif 000011
【図１０】
2020166033.tif 000012
【図１１】
2020166033.tif 000013
【図１２】
2020166033.tif 000014
【国際調査報告】
2020166033.tif 000015
2020166033.tif 000016
2020166033.tif 000017